(57)【要約】【課題】開口部を封止する封止部材が開口部から抜けることをより抑制することができるとともに、封止性を向上させることができる封止構造を提供する。【解決手段】筒状形状を有する筒状部材の先端に形成される開口部を封止する封止構造は、開口部を覆う基部と、筒状部材の外周壁を覆う筒状形状の外縁部と、を有する蓋部材と、外縁部の内面又は外周壁の外面の一方から周方向全体に亘って突出するリング部と、外縁部の内面又は外周壁の外面の他方に対して周方向全体に亘って窪んだ溝部とを有し、リング部が溝部内に嵌合可能に構成された係合機構と、を備え、リング部が溝部に嵌合されると、周方向全体に亘ってリング部と溝部とが密着する第１密着領域が形成される。【選択図】図３
2020122520.tif 000002
【特許請求の範囲】
【請求項１】
筒状形状を有する筒状部材の先端に形成される開口部を封止する封止構造であって、
前記開口部を覆う基部と、前記筒状部材の外周壁を覆う筒状形状の外縁部と、を有する蓋部材と、
前記外縁部の内面又は前記外周壁の外面の一方から周方向全体に亘って突出するリング部と、前記外縁部の内面又は前記外周壁の外面の他方に対して周方向全体に亘って窪んだ溝部とを有し、前記リング部が前記溝部内に嵌合可能に構成された係合機構と、を備え、
前記リング部が前記溝部に嵌合されると、周方向全体に亘って前記リング部と前記溝部とが密着する第１密着領域が形成される封止構造。
【請求項２】
前記係合機構は、前記外縁部の内面から周方向全体に亘って突出するリング部と、前記外周壁の外面に対して周方向全体に亘って窪んだ溝部と、を有し、
前記リング部は、前記外縁部の長さ方向に沿って前記基部に向かうにつれて、前記外縁部の前記内面から突出する突出量が増加するように構成されている請求項１に記載の封止構造。
【請求項３】
前記溝部は、前記筒状部材の前記外周壁の内面が前記筒状部材の径方向内側に向かって突出する内側突出部が形成された状態で構成され、
前記蓋部材は、前記外縁部の内部において前記基部から突出する内挿部をさらに備え、
前記内挿部は前記開口部を通って前記筒状部材の内部に挿入されると、前記内挿部の一部が前記周方向全体に亘って前記内側突出部と密着する第２密着領域が形成される請求項２に記載の封止構造。
【請求項４】
前記第２密着領域は前記筒状部材の延在方向に交差するように形成される請求項３に記載の封止構造。
【請求項５】
前記外周壁の前記外面には、前記外周壁の前記外面とは異なる色で着色された着色部が形成され、
前記開口部から前記着色部の前記開口部側とは反対側の端部までの距離は、前記基部から前記外縁部の先端までの距離と同じである請求項１から４の何れか一項に記載の封止構造。
【発明の詳細な説明】
【技術分野】
【０００１】
本開示は、パイプのような筒状部材の先端に形成される開口部を封止する封止構造に関する。
【背景技術】
【０００２】
従来から、水、油、泥や砂利のような異物が開口部を通ってパイプの内部に侵入することを防止するため、開口部をパイプカバーやプラグなどによって封止する技術が数多く知られている。例えば、特許文献１には、内側カバー部がパイプの内部に挿入されるように折り曲げられる反転屈曲部を有するパイプカバーが開示されている。反転屈曲部が折り曲げられると、内側カバー部と外側カバー部との間にはパイプの外周壁の肉厚と同程度の隙間が形成され、この隙間にパイプの外周壁が嵌め込まれている。また、特許文献２には、パイプの内部に挿入される封止部を有するプラグと、この封止部をパイプの外周壁の内面に圧接させてプラグがパイプから外れにくくする抜止具とを備えるパイプカバーが開示されている。
【先行技術文献】
【特許文献】
【０００３】
【特許文献１】実開昭５８−６７１８９号公報
【特許文献２】特開昭６１−１５３０９２号公報
【発明の概要】
【発明が解決しようとする課題】
【０００４】
しかしながら、特許文献１に記載された技術では、パイプカバーが開口部から抜けてしまう虞がある。特許文献２に記載された技術では、封止部をなくしてしまうと、プラグが抜けることを抑制する効果が得られない。
【０００５】
本発明は上述の課題に鑑みなされたものであり、筒状部材の開口部を封止する封止部材が筒状部材から抜けることをより抑制することができるとともに、開口部の封止性を向上させることができる封止構造を提供することを目的とする。
【課題を解決するための手段】
【０００６】
（１）本発明の少なくとも一実施形態に係る封止構造は、筒状形状を有する筒状部材の先端に形成される開口部を封止する封止構造であって、前記開口部を覆う基部と、前記筒状部材の外周壁を覆う筒状形状の外縁部と、を有する蓋部材と、前記外縁部の内面又は前記外周壁の外面の一方から周方向全体に亘って突出するリング部と、前記外縁部の内面又は前記外周壁の外面の他方に対して周方向全体に亘って窪んだ溝部とを有し、前記リング部が前記溝部内に嵌合可能に構成された係合機構と、を備え、前記リング部が前記溝部に嵌合されると、周方向全体に亘って前記リング部と前記溝部とが密着する第１密着領域が形成される。
【０００７】
上記（１）の構成によれば、基部が開口部を覆い、外縁部が外周壁を覆っている（つまりは、開口部を蓋部材で封止している）ときに、リング部が溝部内に嵌合可能に構成されることで、筒状部材から蓋部材を抜き外そうとしても、リング部が溝部に干渉し、筒状部材から蓋部材が抜けることを抑制する。また、周方向全体に亘ってリング部と溝部とが密着する第１密着領域が形成されるので、開口部の封止性が向上する。よって、開口部を封止する封止部材（蓋部材）が筒状部材から抜けることをより抑制することができるとともに、開口部の封止性を向上させることができる。尚、第１密着領域が形成されることで、筒状部材から蓋部材を抜き外そうとしても、リング部と溝部との間に摩擦力が作用するので、開口部の封止性が向上するだけでなく、筒状部材から蓋部材が抜けることも抑制する。
【０００８】
（２）幾つかの実施形態では、上記（１）に記載の構成において、前記係合機構は、前記外縁部の内面から周方向全体に亘って突出するリング部と、前記外周壁の外面に対して周方向全体に亘って窪んだ溝部と、を有し、前記リング部は、前記外縁部の長さ方向に沿って前記基部に向かうにつれて、前記外縁部の前記内面から突出する突出量が増加するように構成されている。
【０００９】
リング部が、外縁部の長さ方向に沿って基部に向かうにつれて、突出量が減少している、又は、突出量が一定であると、開口部を蓋部材で封止しようとする際に、筒状部材の先端がリング部に引っかかってしまい、スムーズに開口部を封止できない場合がある。しかしながら、上記（２）の構成によれば、リング部は、外縁部の長さ方向に沿って基部に向かうにつれて、突出量が増加するので、開口部を蓋部材で封止しようとする際に、開口部が蓋部材の内部に案内され、スムーズに開口部を封止することができる。
【００１０】
（３）幾つかの実施形態では、上記（２）に記載の構成において、前記溝部は、前記筒状部材の前記外周壁の内面が前記筒状部材の径方向内側に向かって突出する内側突出部が形成された状態で構成され、前記蓋部材は、前記外縁部の内部において前記基部から突出する内挿部をさらに備え、前記内挿部は前記開口部を通って前記筒状部材の内部に挿入されると、前記内挿部の一部が前記周方向全体に亘って前記内側突出部と密着する第２密着領域が形成される。
【００１１】
上記（３）の構成によれば、内挿部が開口部を通って筒状部材の内部に挿入されると、つまりは、開口部を蓋部材で封止すると、内挿部の一部が周方向全体に亘って内側突出部と密着する第２密着領域が形成されるので、開口部の封止性が向上する。よって、第１密着領域に加えて第２密着領域が形成されることで、開口部の封止性をより向上させることができる。
【００１２】
（４）幾つかの実施形態では、上記（３）に記載の構成において、前記第２密着領域は前記筒状部材の延在方向に交差するように形成される。第２密着領域が筒状部材の延在方向に交差しない場合には、蓋部材を筒状部材の延在方向に押圧しても第２密着領域による封止性を向上させることは難しい。しかしながら、上記（４）の構成によれば、第２密着領域は筒状部材の延在方向に交差するので、蓋部材を筒状部材の延在方向に押圧することで、第２密着領域の密着性が向上し、容易に開口部の封止性を向上させることができる。
【００１３】
（５）幾つかの実施形態では、上記（１）から（４）の何れか１つに記載の構成において、前記外周壁の前記外面には、前記外周壁の前記外面とは異なる色で着色された着色部が形成され、前記開口部から前記着色部の前記開口部側とは反対側の端部までの距離は、前記基部から前記外縁部の先端までの距離と同じである。
【００１４】
開口部から着色部の開口部側とは反対側の端部までの距離が、基部から外縁部の先端までの距離より短いと、開口部を基部が覆う（開口部を封止する）前に、着色部は外縁部によって覆われるので、ユーザは開口部が封止されているか否かを判断することができない。一方で、開口部から着色部の開口部側とは反対側の端部までの距離が、基部から外縁部の先端までの距離より長いと、開口部を基部で覆っていた（開口部を封止していた）ときに、着色部の一部又は全部が外縁部によって覆われないので、ユーザはこの着色部の一部又は全部を視認することができ、開口部が封止されているか否かを判断することができない。しかしながら、上記（５）の構成によれば、開口部から着色部の開口部側とは反対側の端部までの距離は、基部から外縁部の先端までの距離と同じであるので、開口部を封止すると同時に着色部は外縁部によって覆われる。よって、ユーザは、着色部を視認できるか否かによって、開口部が封止されているか否かを判断することができる。
【発明の効果】
【００１５】
本発明の少なくとも一実施形態によれば、リング部が溝部内に嵌合可能に構成されるので、開口部を封止する封止部材が筒状部材から抜けることをより抑制することができる。また、リング部が溝部に嵌合されると、周方向全体に亘ってリング部と溝部とが密着する第１密着領域が形成されるので、開口部の封止性を向上させることができる。
【図面の簡単な説明】
【００１６】
【図１】本発明の実施形態に係る封止構造を適用する筒状部材（パイプ）の一例を示す斜視図である。
【図２】本発明の第１実施形態に係る封止構造を示す概略斜視図である。
【図３】本発明の第１実施形態に係る封止構造を示す概略断面図である。
【図４】本発明の第１実施形態に係る封止構造の変形例を示す概略断面図である。
【図５】本発明の第２実施形態に係る封止構造を示す概略断面図である。
【図６】本発明の第３実施形態に係る封止構造を示す概略断面図である。
【図７】本発明の第３実施形態に係る封止構造の変形例を示す概略断面図である。
【図８】本発明の第４実施形態に係る封止構造を示す概略断面図である。
【発明を実施するための形態】
【００１７】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
【００１８】
本発明の幾つかの実施形態に係る封止構造は、筒状形状を有する筒状部材の先端に形成される開口部を封止する。本開示では、車両のアンダーカバーに取り付けられるパイプの先端を封止する場合を例にして説明するが、本発明は、筒状部材の先端に開口部が形成されていれば、この例示するパイプの先端以外にも適用可能である。
【００１９】
車両（不図示）には、図１に示すように、車体の下部を泥や砂利などから保護する保護カバー１００と、車体の最も前方に位置する前方カバー１０１と、パイプ１と、が設けられている。保護カバー１００は、例えば、エンジンルームの下方に設けられているアンダーカバーである。前方カバー１０１は、例えば、エンジンルームの前方に設けられているフロントバンパーである。
【００２０】
パイプ１は、円筒形状を有しており、保護カバー１００と前方カバー１０１との両方にボルトのような締結具によって固定されることで、保護カバー１００と前方カバー１０１とを互いに接続している。パイプ１の両端には開口部２が形成されている。また、パイプ１は、開口部２が上方に向かって開口するＵ字形状を有するように折り曲げられている。このため、水、油、泥や砂利のような異物が開口部２を通ってパイプ１の内部に侵入する虞がある。以下、この開口部２を封止するための封止構造のいくつかの実施形態を、第１〜第４実施形態として説明する。また、パイプ１の延在方向からパイプ１の断面形状を視たときに、パイプ１の外周壁１０が円形形状に延びる方向を「周方向」と記載し、この円形形状の半径方向を「径方向」と記載する。尚、筒状部材として、円筒形状を有するパイプ１を例示しているが、パイプ１の形状（筒状形状）は円筒形状に限定されるものではなく、例えば、四角柱形状であってもよい。
【００２１】
（第１実施形態）
本発明の第１実施形態に係る封止構造３Ａは、図２及び図３に示すように、蓋部材４と、係合機構６と、を備える。蓋部材４は、開口部２の全体を覆う基部８と、パイプ１（筒状部材）の外周壁１０を覆う筒状形状の外縁部１２と、を有する。基部８は、パイプ１の延在方向において、開口部２全体が収まる水平面１３を有する板状部材である。外縁部１２は、開口部２を基部８で覆った（開口部２を蓋部材４で封止した）際に、外縁部１２の内面１８と外周壁１０の外面２０とが互いに面するように、基部８から延びている。また、外縁部１２の内径φ１は、外周壁１０の外径φ２と略同一になっている。
【００２２】
また、外縁部１２は、基部８の周縁よりも径方向内側に位置しており、基部８の周縁が取っ手として機能し、ユーザは蓋部材４を把持しやすくなっている。また、基部８と外縁部１２とは一体的に形成されている。また、基部８と外縁部１２とは同一材料で形成されており、例えば、フッ素ゴム、シリコンゴムのようなゴム材料や加熱することで膨張する機能性フィラーを含む樹脂等から形成されており、径方向に沿って弾性変形可能であるようになっている。
【００２３】
係合機構６は、リング部１４と、溝部１６と、を有する。リング部１４は、外縁部１２の内面１８から周方向全体に亘って突出しており、円環形状を有している。溝部１６は、外周壁１０の外面２０に対して周方向全体に亘って窪んでいる。この溝部１６は、パイプ１の外周壁１０の内面２１が径方向内側に向かって突出する内側突出部１６Ａ（１６）が形成された状態で構成されている。このような溝部１６が形成されることで、パイプ１の内部には、パイプ１の延在方向に対して交差する面である段差面１６ｃが形成される。
【００２４】
外縁部１２の内径のうち、リング部１４が設けられている部分の内径φ１１は、外周壁１０の外径のうち溝部１６が形成されている部分の外径φ２１と略同一である。つまり、リング部１４が外縁部１２の内面１８から突出する突出量Ｌ１は、溝部１６が外周壁１０の外面２０から窪む陥没量Ｌ２と略同一である。また、突出量Ｌ１の変化量及び陥没量Ｌ２の変化量はゼロであり、開口部２を蓋部材４で封止した際に、リング部１４の突出面１４ａと溝部１６の底面１６ａとは互いに平行に面する。また、パイプ１の延在方向において、基部８に対するリング部１４の位置は、パイプ１の先端（開口部２）に対する溝部１６の位置と同じである。
【００２５】
本発明の第１実施形態に係る封止構造３Ａの構成によって導かれる作用・効果について説明する。上述したように、リング部１４を有する外縁部１２は、ゴム材料などによって形成されており、径方向に沿って弾性変形可能に構成されている。また、パイプ１の延在方向において、基部８に対するリング部１４の位置は、パイプ１の開口部２に対する溝部１６の位置と同じである。このため、開口部２を蓋部材４で封止する際に、言い換えると、基部８が開口部２を覆うとともに、外縁部１２が外周壁１０を覆う際に、リング部１４を溝部１６に嵌合することができる。また、φ１１＝φ２１のため、リング部１４が溝部１６に嵌合されると、周方向全体に亘ってリング部１４の突出面１４ａと溝部１６の底面１６ａとが密着する第１密着領域Ｒ１が形成される。
【００２６】
第１実施形態によれば、開口部２を蓋部材４で封止しているときに、リング部１４が溝部１６内に嵌合可能に構成されることで、パイプ１から蓋部材４を抜き外そうとしても、リング部１４が溝部１６に干渉し（具体的には、リング部１４の基部８側の端面１４ｂが溝部１６の開口部２側の端面１６ｂに干渉し）、パイプ１から蓋部材４が抜けることを抑制する。また、リング部１４が溝部１６内に嵌合されると、周方向全体に亘ってリング部１４と溝部１６とが密着する第１密着領域Ｒ１が形成されるので、開口部２の封止性が向上する。よって、開口部２を封止する蓋部材４がパイプ１から抜けることをより抑制することができるとともに、開口部２の封止性を向上させることができる。尚、第１密着領域Ｒ１が形成されることで、パイプ１から蓋部材４を抜き外そうとしても、リング部１４と溝部１６との間に摩擦力が作用するので、開口部２の封止性が向上するだけでなく、パイプ１から蓋部材４が抜けることも抑制することができる。
【００２７】
尚、第１実施形態では、リング部１４は外縁部１２の内面１８から突出し、溝部１６は外周壁１０の外面２０に対して窪んでいたが、本発明は第１実施形態の構成に限定されない。リング部１４が溝部１６内に嵌合可能に構成され、リング部１４が溝部１６に嵌合されると、周方向全体に亘ってリング部１４と溝部１６とが密着する第１密着領域Ｒ１が形成されるのであれば、例えば、リング部１４は外周壁１０の外面２０から突出し、溝部１６は外縁部１２の内面１８に対して窪んでいてもよい。また、第１密着領域Ｒ１は、突出面１４ａと底面１６ａとが密着することで形成されているが、本発明はこれに限定されず、例えば、リング部１４の全面と溝部１６の全面とが密着していてもよい。
【００２８】
また、第１実施形態では、φ１＝φ２であるが、外縁部１２の径方向外側に拡がる弾性変形量αに対応するように、φ１＋α＝φ２（つまり、外縁部１２の内径φ１は弾性変形量αの分だけ外周壁１０の外径φ２より小さい）であってもよい。このように構成することで、開口部２を蓋部材４で封止しているときに、外周壁１０と外縁部１２とがより強固に密着し、蓋部材４がパイプ１から抜けることをより抑制するとともに、開口部２の封止性をより向上させることができる。尚、弾性変形量αは、設計などによって予め定めることが可能な数値である。
【００２９】
同様に、第１実施形態では、Ｌ１＝Ｌ２であるが、リング部１４の径方向外側に縮む弾性変形量βに対応するように、Ｌ１＝Ｌ２＋β（つまり、突出量Ｌ１は弾性変形量βの分だけ陥没量Ｌ２より大きい）であってもよい。このように構成することで、開口部２を蓋部材４で封止しているときに、リング部１４が溝部１６を押圧する押圧力を大きくすることができ、開口部２の封止性をより向上させることができる。また、リング部１４の突出面１４ａと溝部１６の底面１６ａとで互いに異なる磁極を有するように構成されてもよい。尚、弾性変形量βは、設計などによって予め定めることが可能な数値である。
【００３０】
また、第１実施形態の変形例として、図４に示す封止構造３Ａ１のように、外周壁１０が陥没量Ｌ２より大きい厚みを有するのであれば、外周壁１０の内面２１は径方向内側に向かって突出しなくてもよい（内側突出部１６Ａが形成されなくてもよい）。
【００３１】
（第２実施形態）
図５を参照して、本発明の第２実施形態に係る封止構造３Ｂについて説明する。封止構造３Ｂは、第１実施形態に係る封止構造３Ａに対して、リング部１４の突出面１４ａの形状及び溝部１６の底面１６ａの形状が異なる。第２実施形態において、第１実施形態の構成要件と同じものは同じ参照符号を付し、その詳細な説明は省略する。
【００３２】
図５に示すように、リング部１４は、外縁部１２の長さ方向に沿って基部８に向かうにつれて、突出量Ｌ１が増加しており、突出面１４ａは基部８に対して傾斜している。突出量Ｌ１の変化量は一定である。同様に、溝部１６は、パイプ１の延在方向に沿って開口部２に向かうにつれて、陥没量Ｌ２が増加しており、底面１６ａは開口部２に対して傾斜している。陥没量Ｌ２の変化量は一定である。そして、外縁部１２の長さ方向における突出量Ｌ１とパイプ１の延在方向における陥没量Ｌ２とは互いに等しい。尚、開口部２を蓋部材４で封止しているときには、外縁部１２の長さ方向とパイプ１の延在方向とは互いに同じ方向である。
【００３３】
突出面１４ａが、パイプ１の延在方向に沿って基部８に向かうにつれて、突出量Ｌ１が減少していると、又は、突出量Ｌ１が一定であると、開口部２を蓋部材４で封止しようとする際に、パイプ１（外周壁１０）の先端がリング部１４に引っかかってしまい、スムーズに開口部２を封止できない場合がある。
【００３４】
しかしながら、第２実施形態によれば、リング部１４が、パイプ１の延在方向に沿って基部８に向かうにつれて、突出量Ｌ１が増加するので、開口部２を蓋部材４で封止しようとする際に、開口部２が蓋部材４の内部に案内され、スムーズに開口部２を封止することができる。
【００３５】
尚、第２実施形態では、突出量Ｌ１の変化量が一定であり、突出面１４ａは傾きが一定である外形形状を有していたが、外縁部１２の長さ方向に沿って基部８に向かうにつれて、傾きが変化する外径形状を有していてもよい（つまり、突出面１４ａは外形形状が滑らかに変化していくように湾曲していてもよい）。
【００３６】
（第３実施形態）
図６を参照して、本発明の第３実施形態に係る封止構造３Ｃについて説明する。封止構造３Ｃは、第２実施形態に係る封止構造３Ｂに対して、内挿部２２が追加されている点で異なる。第３実施形態において、第２実施形態の構成要件と同じものは同じ参照符号を付し、その詳細な説明は省略する。
【００３７】
図６に示すように、蓋部材４は内挿部２２をさらに備える。内挿部２２は外縁部１２の内部において基部８から突出する。このような内挿部２２は、開口部２から溝部１６の段差面１６ｃまでの距離の大きさだけ突出する第１内挿部２２Ａと、第１内挿部２２Ａより基部８から突出する距離が長い第２内挿部２２Ｂと、を有する。
【００３８】
第１内挿部２２Ａは、開口部２を通ってパイプ１の内部に挿入されると（開口部２を蓋部材４で封止すると）、周方向全体に亘って段差面１６ｃと密着する第２密着領域Ｒ２を形成する先端面２２Ａａを有する。第２内挿部２２Ｂは、段差面１６ｃに対して不干渉であるように、第１内挿部２２Ａよりも径方向内側に位置している。第２密着領域Ｒ２は、パイプ１の延在方向に交差するように形成される。
【００３９】
第３実施形態によれば、開口部２を蓋部材４で封止すると、第１内挿部２２Ａの先端面２２Ａａが周方向全体に亘って段差面１６ｃと密着する第２密着領域Ｒ２が形成されるので、開口部２の封止性が向上する。よって、第１密着領域Ｒ１に加えて第２密着領域Ｒ２が形成されることで、開口部２の封止性をより向上させることができる。
【００４０】
尚、第３実施形態の変形例として、図７に示す封止構造３Ｃ１のように、蓋部材４は内挿部２２Ｃ（２２）を備えてもよい。この内挿部２２Ｃは、外縁部１２の内部において、開口部２から溝部１６の段差面１６ｃまでの距離の大きさを超えて基部８から突出している。開口部２を蓋部材４で封止すると、周方向全体に亘って内挿部２２Ｃの側面２２Ｃａの一部と内側突出部１６Ａの突出面１６ｄとが密着する第２密着領域Ｒ２１が形成される。
【００４１】
図７に示した封止構造３Ｃ１のように第２密着領域Ｒ２１が形成されてもよいが、図６に示した封止構造３Ｃによれば、第２密着領域Ｒ２はパイプ１の延在方向に交差するので、蓋部材４をパイプ１の延在方向に押圧することで、第２密着領域Ｒ２の密着性が向上し、容易に開口部２の封止性を向上させることができる。また、第２内挿部２２Ｂが設けられることで、開口部２を蓋部材４で封止する際の位置合わせを行うことができる。
【００４２】
尚、内挿部２２は、基部８や外縁部１２と一体的に形成されてもよい。また、内挿部２２は基部８や外縁部１２と同一材料で形成されており、例えば、フッ素ゴム、シリコンゴムのようなゴム材料や加熱することで膨張する機能性フィラーを含む樹脂等から形成され、径方向に沿って弾性変形可能であるようになっていてもよい。また、開口部２を蓋部材４で封止している際に、内挿部２２と外縁部１２とによって外周壁１０が挟持されるように、内挿部２２と外縁部１２とによって形成される隙間の大きさは、パイプ１（外周壁１０）の肉厚より小さくてもよい。このような構成によれば、内挿部２２は外周壁１０の内面２１と密着するので、パイプ１から蓋部材４を抜き外そうとしても、内挿部２２と外周壁１０との間に摩擦力が作用し、パイプ１から蓋部材４が抜けることを抑制することができるとともに、開口部２の封止性を向上させることができる。
【００４３】
（第４実施形態）
図８を参照して、本発明の第４実施形態に係る封止構造３Ｄについて説明する。封止構造３Ｄは、第３実施形態に係る封止構造３Ｃに対して、着色部２６が追加されている点で異なる。第４実施形態において、第３実施形態の構成要件と同じものは同じ参照符号を付し、その詳細な説明は省略する。
【００４４】
図８に示すように、外周壁１０の外面２０には、外周壁１０の外面２０とは異なる色で着色された着色部２６が形成される。着色部２６は、パイプ１の先端（開口部２）からパイプ１の延在方向に沿って連続的に形成されている。そして、パイプ１の延在方向において、開口部２から着色部２６の開口部２側とは反対側の端部２６ａまでの距離は、基部８から外縁部１２の先端２８までの距離と同じである。
【００４５】
開口部２から着色部２６の端部２６ａまでの距離が、基部８から外縁部１２の先端２８までの距離より短いと、開口部２を基部８が覆う（開口部２を封止する）前に、着色部２６は外縁部１２によって覆われるので、ユーザは開口部２が封止されているか否かを判断することができない。一方で、開口部２から着色部２６の端部２６ａまでの距離が、基部８から外縁部１２の先端２８までの距離より長いと、開口部２を基部８で覆っていた（開口部２を封止していた）ときに、着色部２６の一部又は全部が外縁部１２によって覆われないので、ユーザはこの着色部２６の一部又は全部を視認することができ、開口部２が封止されているか否かを判断することができない。
【００４６】
しかしながら、第４実施形態によれば、開口部２から着色部２６の端部２６ａまでの距離は、基部８から外縁部１２の先端２８までの距離と同じであるので、開口部２を封止すると同時に着色部２６は外縁部１２によって覆われる。よって、ユーザは、着色部２６を視認できるか否かによって、開口部２が封止されているか否かを判断することができる。
【００４７】
尚、第４実施形態では、着色部２６は、パイプ１の先端からパイプ１の延在方向に沿って連続的に形成されていたが、開口部２を蓋部材４で封止すると同時に外縁部１２によって覆われるのであれば、外周壁１０の外面２０の一部（パイプ１の先端から連続的に形成される必要もないし、パイプ１の周方向全体に亘って形成される必要もない）に形成されてもよい。
【００４８】
以上、本発明の第１〜第４実施形態に係る封止構造について説明したが、本発明は上記の形態に限定されるものではなく、本発明の目的を逸脱しない範囲での種々の変更が可能である。
【符号の説明】
【００４９】
１        パイプ
２        開口部
３Ａ      第１実施形態に係る封止構造
３Ｂ      第２実施形態に係る封止構造
３Ｃ      第３実施形態に係る封止構造
３Ｄ      第４実施形態に係る封止構造
４        蓋部材
６        係合機構
８        基部
１０      外周壁
１２      外縁部
１３      水平面
１４      リング部
１４ａ    突出面
１４ｂ    端面
１６      溝部
１６Ａ    内側突出部
１６ａ    底面
１６ｂ    端面
１６ｃ    段差面
１８      外縁部の内面
２０      外周壁の外面
２１      外周壁の内面
２２      内挿部
２２Ａ    第１内挿部
２２Ａａ  先端面
２２Ｂ    第２内挿部
２６      着色部
２６ａ    先端
２８      外縁部の先端
１００    保護カバー
１０１    前方カバー
Ｌ１      突出量
Ｌ２      陥没量
Ｒ１      第１密着領域
Ｒ２      第２密着領域
【図１】
2020122520.tif 000003
【図２】
2020122520.tif 000004
【図３】
2020122520.tif 000005
【図４】
2020122520.tif 000006
【図５】
2020122520.tif 000007
【図６】
2020122520.tif 000008
【図７】
2020122520.tif 000009
【図８】
2020122520.tif 000010